(57)【特許請求の範囲】
【請求項１】
商品のＰＬＵ番号を入力するＰＬＵキーを押下してＰＬＵファイルを検索し、商品を登録する販売管理システムにおいて、
同一種類かつ異なる属性の商品に対して、異なる属性ごとに異なるＰＬＵ番号を付してＰＬＵファイルに記憶しておく販売管理システムであって、
押下すると、複数の商品の共通な属性に対応するＰＬＵ番号が一時記憶メモリに記憶される複数のシフトタイプＰＬＵキーと、
押下すると前記一時記憶メモリに記憶されているＰＬＵ番号と自身の、属性を含まない同一種類の商品に対応するＰＬＵ番号とを加算し、加算後のＰＬＵ番号でＰＬＵファイルを検索する複数のＰＬＵキーとを有し、
前記シフトタイプＰＬＵキーの押下の後に、前記ＰＬＵキーを押下して属性を含む商品のＰＬＵ番号を決定し、ＰＬＵファイルを検索して商品を登録することを特徴とする販売管理システム。
【請求項２】
前記シフトタイプＰＬＵキーは、押下すると商品の属性を表示手段に表示する請求項１に記載の販売管理システム。
【発明の詳細な説明】
【０００１】
【発明の属する技術分野】
本発明は販売管理システムに関し、特に多数の商品等を入力するキーの効率的配設及び操作性を改善する販売管理システムに関する。
【０００２】
【従来の技術】
例えば、ファーストフード等の店舗では、販売商品メニューは多種多様であり、その数も多い。従来、この種の販売管理システムでは、各メニューが表記されているメニューキーがプレート上に配設されたプライスルックアップ（以下、ＰＬＵと略称する）キー構成がＰＯＳシステムとともに採用されることが多い。ＰＬＵキーは文字や絵等で表記されているメニューキーを押すだけで客の注文商品を登録できるだけでなく、単価や会計売上金額も瞬時にディスプレイに表示されるため、効率的な運営が可能となる。
【０００３】
【発明が解決しようとする課題】
しかしながら、従来の販売管理システムでは、売上げ入力される全ての商品をＰＬＵに登録してメニューキーに設定しなければならないため、商品の数が多くなると、それに応じてメニューキーの数も増えてしまい、その中から迅速に所望のメニューキーを選択することは困難となり、操作効率が低下するだけでなく、一枚のプレート上に全てのメニューキーを配設しようとすると、必然的にメニューキーの大きさ（面積）も小さくせざるを得ず、したがって表記されるメニューも視覚的に認識することが困難になるという問題も生ずる。
【０００４】
例えば、図６にはファーストフード店におけるメニュー例が示されており、Ｃｏｋｅ、Ｄｉｅｔ  Ｃｏｋｅ、Ｓｐｒｉｔｅの各種類毎にサイズを示すＳｍａｌｌ、Ｍｅｄｉｕｍ、Ｌａｒｇｅがあり、合計１２種類の各商品がＰＬＵに登録され、各キーが割り当てられることになり上述問題が生ずることは明かである。
【０００５】
そこで、本発明の目的は、視覚的な認識が容易で、少数のメニューキー配設で多数のメニューキーの選択を容易とした販売管理システムを提供することにある。
【０００６】
【課題を解決するための手段】
前述の課題を解決するため、本発明による販売管理システムは、商品のＰＬＵ番号を入力するＰＬＵキーを押下してＰＬＵファイルを検索し、商品を登録する販売管理システムにおいて、
同一種類かつ異なる属性の商品に対して、異なる属性ごとに異なるＰＬＵ番号を付してＰＬＵファイルに記憶しておく販売管理システムであって、
押下すると、複数の商品の共通な属性に対応するＰＬＵ番号が一時記憶メモリに記憶される複数のシフトタイプＰＬＵキーと、押下すると前記一時記憶メモリに記憶されているＰＬＵ番号と自身の、属性を含まない同一種類の商品に対応するＰＬＵ番号とを加算し、加算後のＰＬＵ番号でＰＬＵファイルを検索する複数のＰＬＵキーとを有し、前記シフトタイプＰＬＵキーの押下の後に、前記ＰＬＵキーを押下して属性を含む商品のＰＬＵ番号を決定し、ＰＬＵファイルを検索して商品を登録する。また、前記シフトタイプＰＬＵキーは、押下すると商品の属性を表示手段に表示するように構成されている。
【０００７】
【発明の実施の形態】
次に、本発明による販売管理システムの実施形態例を図面を参照しながら説明する。図１は本発明による販売管理システムの一実施形態例の処理手順を示すフローチャートである。
【０００８】
本実施形態では、ＰＬＵ登録にシフトタイプ属性（商品のサイズや種類等）をシフト番号として付与してシフトタイプＰＬＵを設定し、キーボードに割り当て、シフトタイプＰＬＵキーの入力によりＰＬＵマスターファイルから検索して商品の売上げ入力を行う。例えば、図２に示ように、シフトタイプＰＬＵ  Ｙ／Ｎと、ＰＬＵ番号１００、２００、３００、０１０、００１、００２が付与された属性、”Ｓｍａｌｌ”、”Ｍｅｄｉｕｍ”、”Ｌａｒｇｅ”、”Ｄｉｅｔ”、や商品名”Ｃｏｋｅ”、”Ｓｐｒｉｔｅ”がＰＬＵ登録されている。
【０００９】
図１を参照すると、先ず、キー入力があるか否かを判定し（ステップＳ１）、キー入力があると判定されると、キー入力されたＰＬＵ番号でＰＬＵファイルを検索する（ステップＳ２）。次に、検索したＰＬＵがシフトタイプ”１”か否かを判定し（ステップＳ３）、”１”であれば、ＰＬＵ番号▲１▼を一時メモリに記憶する（ステップＳ４）、ステップＳ３においてシフトタイプ”１”でなければ、検索したＰＬＵがシフトタイプ”２”か否かを判定し（ステップＳ５）、”２”であればＰＬＵ番号▲２▼を一時メモリに記憶する（ステップＳ６）。
【００１０】
ステップＳ５において、シフトタイプが”２”でなければ、検索したＰＬＵがシフトタイプ”３”であるか否かを判定し（ステップＳ７）、シフトタイプ”３”であれば、ＰＬＵ番号▲３▼を一時メモリに記憶する（ステップＳ８）。ステップＳ７において、ＰＬＵがシフトタイプ”３”でないと判定されると、メモリに記憶されているＰＬＵ番号▲１▼＋▲２▼＋▲３▼＋（シフトタイプ＝０のＰＬＵ番号）で ＰＬＵファイルを検索する（ステップＳ９）。次に、検索したＰＬＵを確定して、画面に表示して（ステップＳ１０）、処理を終了する。ここで、ステップＳ４、Ｓ６及びＳ８の処理時には、一時的にシフトタイプＰＬＵの名称を画面の端部に表示する。
【００１１】
図３にはＰＬＵファイルの構成が示されておりＰＬＵファイルは、ＰＬＵ番号、名称、単価、シフトタイプ（０、１、２または３）を含む複数のファイルから構成されている。ここで、シフトタイプＰＬＵ＝０は、通常ＰＬＵとして使用されている。
【００１２】
本実施形態におけるキーボードに設定するＰＬＵは、図４に示すような６個であり、キー入力例として、”Ｍｅｄｉｕｍ  Ｄｉｅｔ  Ｃｏｋｅ”を入力する場合の、各キー入力時のディスプレイの表示例が図５（Ａ）〜（Ｃ）に示されている。
【００１３】
キーボード上の「ＰＬＵ＃２００  Ｍｅｄｉｕｍ」キーを押下すると、図５（Ａ）に示すように、左側に既入力済みで確定された商品、（”Ｈａｍｂｕｒｇｅ”と”Ｃｈｅｅｓｅ”）その数と金額（ドル表示）が表示されており、右側に今、入力されているサイズとしての”Ｍｅｄｉｕｍ”が表示される。次に、「ＰＬＵ＃０１０  Ｄｉｅｔ」が入力されると、図５（Ｂ）に示すように、”Ｄｉｅｔ”が表示され、最後に「ＰＬＵ＃００１  Ｃｏｋｅ」が入力されると、図５（Ｃ）に示すように、（ ＰＬＵ＃２００  Ｍｅｄｉｕｍ）＋（ＰＬＵ＃１００  Ｄｉｅｔ）＋（ＰＬＵ＃００１  Ｃｏｋｅ）の和情報として”ＰＬＵ＃２１１  Ｍｅｄｉｕｍ  Ｄｉｅｔ  Ｃｏｋｅ”が、その数と金額とともに表示されるようになる。
【００１４】
【発明の効果】
以上説明したように、本発明の販売管理システムによれば、従来と比較して、少数のメニューキー配設により多数のメニューキーの選択が容易となるだけでなく、ディスプレイ上に表示される名称の視覚的認識も容易となる。
【図面の簡単な説明】
【図１】本発明による販売管理システムの一実施形態例の処理手順を示すフローチャートである。
【図２】本発明においてＰＬＵ登録にシフトタイプ属性をシフト番号として付与した例を示す図である。
【図３】本発明におけるＰＬＵファイルの構成を示す図である。
【図４】本実施形態におけるキーボードに設定するＰＬＵを示す図である。
【図５】キー入力例として、”Ｍｅｄｉｕｍ  Ｄｉｅｔ  Ｃｏｋｅ”を入力する場合の、各キー入力時のディスプレイの表示例を示す図である。
【図６】ファーストフード店におけるメニュー例を示す図である。
【符号の説明】
Ｓ１〜Ｓ１０    販売管理システムの各処理
【図１】
0003851979.tif 000002
【図２】
0003851979.tif 000003
【図３】
0003851979.tif 000004
【図４】
0003851979.tif 000005
【図５】
0003851979.tif 000006
【図６】
0003851979.tif 000007